(57)【要約】【課題】簡素な構成で本体部の左右の傾きを調整することが可能な表示装置を提供する。【解決手段】本体部と、前記本体部を支持する支持部と、前記本体部に設けられ、水平面を基準とした高さの差をつけることが可能な二つの仮固定部と、前記支持部に設けられ、前記二つの仮固定部が掛止される二つの受け部とを備えた表示装置。【選択図】図１１
2013054197.tif 000002
【特許請求の範囲】
【請求項１】
本体部と、
前記本体部を支持する支持部と、
前記本体部に設けられ、水平面を基準とした高さの差をつけることが可能な二つの仮固定部と、
前記支持部に設けられ、前記二つの仮固定部が掛止される二つの受け部と
を備えた表示装置。
【請求項２】
前記二つの仮固定部は、前記本体部の下辺を基準として同じ高さ位置に設けられている
請求項１記載の表示装置。
【請求項３】
前記仮固定部の前記受け部に当接する部分は、カムにより構成されている
請求項１記載の表示装置。
【請求項４】
前記受け部は、前記支持部の上辺から垂直下方に切り込まれた溝により構成されている
請求項３記載の表示装置。
【請求項５】
前記カムは、前記本体部の下辺が水平面に平行になる位置に、平坦面を有する
請求項４記載の表示装置。
【請求項６】
前記本体部に、前記カムの回動範囲を規制する案内溝が設けられている
請求項３記載の表示装置。
【請求項７】
前記仮固定部は、段ねじにより構成され、
前記段ねじは、前記受け部に当接する部分に、先端に近づくにつれて直径が漸増する傾斜部を有する
請求項１記載の表示装置。
【請求項８】
前記受け部は、前記支持部の上辺から垂直下方に切り込まれた溝により構成されている
請求項７記載の表示装置。
【請求項９】
前記段ねじは、前記本体部の下辺が水平面に平行になる位置に、平坦面を有する
請求項８記載の表示装置。
【請求項１０】
前記仮固定部は、段ねじにより構成され、
前記受け部は、前記支持部の上辺から、前記支持部の上辺に対して垂直に設けられた第１溝と、前記第１溝に対して斜めに交差する第２溝とを有する
請求項１記載の表示装置。
【請求項１１】
前記本体部および前記支持部を、前記二つの仮固定部により仮固定された位置関係で固定する本固定部を備えた
請求項１記載の表示装置。
【発明の詳細な説明】
【技術分野】
【０００１】
本開示は、液晶テレビジョン装置などの表示装置に関する。
【背景技術】
【０００２】
液晶テレビジョン装置などの表示装置は、液晶パネルを有する本体部をスタンド等（支持部）により支持した構成を有している。このような表示装置では、設置場所の傾きに起因して本体部が左右に傾いてしまう場合がある。そのため、従来では、スタンドに設けられたねじを調整することにより、本体部の左右の傾きを調整するようにしている（例えば、特許文献１参照。）。
【先行技術文献】
【特許文献】
【０００３】
【特許文献１】特開２００７−３１０２５２号公報
【発明の概要】
【発明が解決しようとする課題】
【０００４】
しかしながら、特許文献１に記載された従来の方法では、液晶テレビの後ろキャビネットとスタンドとの間にスタンド取付板を介在させ、このスタンド取付板を用いてねじの調整を行うようにしていたので、部品構成が複雑であるという問題があった。
【０００５】
本開示の目的は、簡素な構成で本体部の左右の傾きを調整することが可能な表示装置を提供することにある。
【課題を解決するための手段】
【０００６】
本開示の表示装置は、以下の（Ａ）〜（Ｄ）の構成要素を備えたものである。
（Ａ）本体部
（Ｂ）本体部を支持する支持部
（Ｃ）本体部に設けられ、水平面を基準とした高さの差をつけることが可能な二つの仮固定部
（Ｄ）支持部に設けられ、二つの仮固定部が掛止される二つの受け部
【０００７】
本開示の表示装置では、本体部の二つの仮固定部が、支持部の二つの受け部に掛止されることにより、本体部と支持部とが仮固定される。ここでは、二つの仮固定部に水平面を基準とした高さの差をつけることが可能なので、設置場所の傾き等に起因して本体部も左または右に傾いた状態となった場合には、二つの仮固定部に水平面を基準とした高さの差をつけることにより、本体部の左右の傾きを補正し、本体部を水平とすることが可能となる。
【発明の効果】
【０００８】
本開示の表示装置によれば、本体部の二つの仮固定部に水平面を基準とした高さの差をつけることを可能としたので、簡素な構成で本体部の左右の傾きを調整することが可能となる。
【図面の簡単な説明】
【０００９】
【図１】本開示の第１の実施の形態に係る表示装置を後方から見た外観を表す斜視図である。
【図２】図１に示した本体部を分解して表す斜視図である。
【図３】図１に示した支持部を、本体部への取付面の側から見た構成を表す斜視図である。
【図４】図１に示した本体部の背面の構成を表す平面図である。
【図５】図４に示した上方中央の本固定部における、本体部および支持部の構成を表す断面図である。
【図６】図４に示した左側の仮固定部における、本体部および支持部の構成を表す断面図である。
【図７】図４に示した右側の仮固定部を拡大して表す斜視図である。
【図８】図７に示した右側の仮固定部を分解して表す斜視図である。
【図９】図８に示したレバー付きカムの構成を表す平面図である。
【図１０】図３に示した右側の受け部を拡大して表す斜視図である。
【図１１】カムの回動と、レバーの操作と、本体部の左右の傾きとの関係を説明するための図である。
【図１２】カムの回動に伴う、右側の仮固定部と受け部との位置関係の変化を説明するための図である。
【図１３】本開示の第２の実施の形態に係る表示装置における右側の仮固定部の構成を説明するための断面図である。
【図１４】本開示の第３の実施の形態に係る表示装置における受け部の構成を説明するための背面図である。
【図１５】表示装置の適用例１の外観を表す斜視図である。
【発明を実施するための形態】
【００１０】
以下、本開示の実施の形態について図面を参照して詳細に説明する。なお、説明は以下の順序で行う。
１．第１の実施の形態（仮固定部を、レバー付きのカムにより構成した例）
２．第２の実施の形態（仮固定部を、傾斜部を有する段ねじにより構成した例）
３．第３の実施の形態（受け部を、交差する２本の溝により構成した例）
４．適用例
【００１１】
（第１の実施の形態）
図１は、本開示の第１の実施の形態に係る表示装置（テレビジョン装置）を背面側から見た外観を表したものである。この表示装置は、例えば、画像表示のための薄板状の本体部１の背面１Ａを、支持部（スタンド）２により支持した構成を有している。以下の説明および図面では、本体部１の左右方向をｘ方向、本体部１の上下方向をｙ方向、本体部１の背面１Ａと支持部２との対向方向（前後方向）をｚ方向とする。
【００１２】
本体部１は、例えば図２に示したように、ガラスまたは樹脂などの透明板１１の背面に、液晶セルおよびバックライトユニット（いずれも図示せず）よりなるパネル本体１２が設けられた液晶表示パネルである。パネル本体１２は、透明板１１の背面に設けられた鉄（Ｆｅ）等の枠状の取付金具１３に取り付けられている。パネル本体１２の背面は、金属または樹脂よりなる背面カバー（リアカバー）１４で覆われている。この背面カバー１４の外側の面が、表示パネル１の背面１Ａに相当するものである。
【００１３】
支持部２は、例えば図３に示したように、円筒状の支柱２Ａの下端に平板状の基礎２Ｂを有し、支柱２Ａの上端に結合部材２Ｃを有するものである。支柱２Ａには、本体部１を俯仰方向に回転させるチルト動作、および本体部１を左右方向に回転させるスイーベル動作を行わせるチルト・スイーベル機構（図示せず）が組み込まれていてもよい。結合部材２Ｃは、支柱２Ａの上端に取り付けられ、本体部１の背面１Ａ、すなわち背面カバー１４の外側の面を支持部２に固定するためのブラケットである。
【００１４】
結合部材２Ｃの前面側には、本体部１の背面１Ａへの取付のための取付面２０が設けられている。取付面２０には、本体部１の背面１Ａとの固定のための三つのねじ孔２１Ａ，２１Ｂ，２１Ｃが設けられている。ねじ孔２１Ａ〜２１Ｃは、例えば、取付面２０の上方中央，下方左および下方右に三角形に配置されている。
【００１５】
また、取付面２０の上辺の両端付近には、二つの受け部３１，３２が設けられている。受け部３１，３２は、後述する二つの仮固定部４１，４２を用いて本体部１を掛止するためのものであり、取付面２０の上辺から垂直下方に切り込まれたＵ字形の溝により構成されている。受け部３１，３２の深さ（取付面２０の上辺からの切込み量）は同じである。
【００１６】
図４は、図２に示した本体部１の背面１Ａ（背面カバー１４の外側の面）を表したものである。本体部１の背面１Ａの中央下方には、スタンド２の結合部材２Ｃが取り付けられる取付領域５０が設けられている。つまり、取付領域５０は、本体部１の背面１Ａとスタンド２の結合部材２Ｃとが重なり合う（オーバーラップする）領域である。
【００１７】
取付領域５０には、結合部材２Ｃの取付面２０との固定のための三つのねじ孔５１Ａ，５１Ｂ，５１Ｃが設けられている。ねじ孔５１Ａ〜５１Ｃは、取付領域５０の上方中央，下方左および下方右に、結合部材２Ｃのねじ孔２１Ａ〜２１Ｃと整合する位置に三角形に配置されている。本体部１側のねじ孔５１Ａ〜５１Ｃおよび支持部２側のねじ孔２１Ａ〜２１Ｃは、本体部１および支持部２を、後述する仮固定部４１，４２により仮固定された位置関係で固定する本固定部を構成するものである。
【００１８】
図５は、図４に示した上方中央の本固定部であるねじ孔２１Ａ，５１Ａにおける、本体部１および支持部２の断面構成を表したものである。ねじ孔２１Ａ，５１Ａには、本固定用のねじ５２Ａが締結されている。また、支柱２Ａの上端は、結合部材２Ｃの収容部２Ｄに収容され、ねじ２Ｅにより固定されている。
【００１９】
図４に示した取付領域５０の上方右および上方左には、二つの仮固定部４１，４２が設けられている。仮固定部４１，４２は、本体部１と支持部２とを上述した本固定部を用いて固定するのに先立って、本体部１と支持部２との位置関係を仮決めするためのものであり、取付領域５０における受け部３１，３２に整合する位置に設けられている。この二つの仮固定部４１，４２は、本体部１の下辺１Ｂを基準として同じ高さ位置Ｈ４０に設けられていることが好ましい。仮固定部４１，４２の本体部１の下辺１Ｂを基準とした高さ位置Ｈ４０が同じであり、かつ受け部３１，３２の深さも同じであることにより、設置場所が水平面である場合には、特別な調整作業を行うことなく、本体部１を容易に水平に設置することが可能となる。
【００２０】
二つの仮固定部４１，４２は、水平面ＨＰを基準とした高さＨ４１，Ｈ４２の差をつけることが可能である。これにより、この表示装置では、簡素な構成で本体部１の左右の傾きを調整することが可能となっている。
【００２１】
図６は、図４に示した左側の仮固定部４１における、本体部１および支持部２の断面構成を表したものである。左側の仮固定部４１は、例えば、段ねじにより構成され、受け部３１に掛止されている。よって、左側の仮固定部４１の水平面ＨＰを基準とした高さＨ４１は一定である。
【００２２】
なお、図６には、図４に示した下方左の本固定部であるねじ孔２１Ｂ，５１Ｂにおける、本体部１および支持部２の断面構成も表されている。ねじ孔２１Ｂ，５１Ｂには、本固定用のねじ５２Ｂが締結されている。図示しないが、下方右の本固定部であるねじ孔２１Ｃ，５１Ｃにも、同様に、本固定用のねじ（図示せず）が締結されている。
【００２３】
図７は、図４に示した右側の仮固定部４２を拡大して表し、図８は、この仮固定部４２を分解して表したものである。仮固定部４２は、カム部品４２Ａを、段ねじ４２Ｂにより本体部１の背面１Ａのねじ孔４２Ｃに取り付けたものである。カム部品４２Ａと本体部１の背面１Ａとの間には、金属のワッシャー４２Ｄおよびポリカーボネートのワッシャー（ポリワッシャー）４２Ｅが挟まれており、これにより、カム部品４２Ａは段ねじ４２Ｂに対して回動可能となっている。
【００２４】
図９は、図７および図８に示したカム部品４２Ａを本体部１の背面１Ａの側から見た構成を表したものである。仮固定部４２の受け部３２に当接する部分、すなわちカム部品４２Ａの外周面は、例えば、偏心したカム６１により構成されていることが好ましい。カム６１の回動により、右側の仮固定部４２の水平面ＨＰを基準とした高さＨ４２を調整し、左右の仮固定部４１，４２の水平面ＨＰを基準とした高さＨ４１，Ｈ４２に差をつけることが可能となる。
【００２５】
カム部品４２Ａは、カム６１よりも直径の大きいフランジ部６２により受け部３２に引っ掛かるようになっている。フランジ部６２には、操作用のレバー６３が連結されていると共に、回動規制用の突起６４が設けられている。突起６４が背面カバー１４に設けられた円弧形の案内溝６５に嵌り込み、この案内溝６５内を移動することにより、カム６１の回動範囲が規制される。カム６１およびフランジ部６２には、段ねじ４２Ｂを通すための貫通孔６６が設けられている。なお、フランジ部６２は、カム６１よりも大きな直径を有していれば、その形状は特に限定されず、図７ないし図９に示した円形でもよいし、後述する図１０に示したしずく形でもよい。
【００２６】
カム６１は、本体部１の下辺１Ｂが水平面ＨＰに平行となる位置に平坦面６１Ａを有していることが好ましい。換言すれば、カム６１の中心と平坦面６１Ａとの距離Ｄ０は、右側の仮固定部４２の水平面ＨＰを基準とした高さＨ４２が、左側の仮固定部４１の水平面ＨＰを基準とした高さＨ４１（一定値）と同じになるように設定されていることが好ましい。また、レバー６３は、この平坦面６１Ａに垂直な方向に設けられていることが好ましい。このようにすることにより、設置場所が水平面ＨＰに平行である場合には、仮固定部４２を受け部３２に係止させるだけで、左右の仮固定部４１，４２の水平面ＨＰを基準とする高さＨ４１，Ｈ４２が等しくなり、いわば自動的に本体部１を水平に位置決めすることが可能となる。
【００２７】
図１０は、カム６１の平坦面６１Ａが、図３に示した右側の受け部３２に当接している状態を表したものである。受け部３２のＵ字溝の最下部（最も深い位置）には、平坦面３２Ａが設けられていることが好ましい。カム６１Ａの平坦面６１Ａを受け部３２の平坦面３２Ａに安定的に掛止させ、本体部１の水平位置決めを更に容易にすることが可能となるからである。
【００２８】
次に、図１１および図１２を参照して、この表示装置における左右の傾きの調整方法について説明する。
【００２９】
この表示装置では、本体部１の二つの仮固定部４１，４２が、支持部２の二つの受け部３１，３２に掛止されることにより、本体部１と支持部２とが仮固定される。ここで、設置場所が水平面ＨＰに平行である場合には、図１１（Ｈ）に示したように、二つの仮固定部４１，４２は、本体部１の下辺１Ｂを基準として同じ高さ位置Ｈ４０に設けられ、受け部３１，３２の深さも同じであるので、仮固定部４１，４２の水平面ＨＰを基準とした高さＨ４１，Ｈ４２も等しくなり、本体部１は自ずと水平になる。
【００３０】
このとき、カム６１には上述した平坦面６１Ａが設けられ、受け部３２には上述した平坦面３２Ａが設けられているので、図１１（Ｂ），図１１（Ｅ）および図１２（Ｂ）に示したように、仮固定部４２を受け部３２に係止させると直ちにカム６１の平坦面６１Ａが受け部３２の平坦面３２Ａに当接し、レバー６３は直立した状態となる。また、カム６１の中心と平坦面６１Ａとの距離Ｄ０は、右側の仮固定部４２の水平面ＨＰを基準とした高さＨ４２が、左側の仮固定部４１の水平面ＨＰを基準とした高さＨ４１（一定値）と同じになるように設定されているので、仮固定部４２を受け部３２に係止させるだけで、左右の仮固定部４１，４２の水平面ＨＰを基準とする高さＨ４１，Ｈ４２が等しくなる。従って、レバー６３の操作によりカム６１を人為的に回動させて本体部１を水平にするなどの特別な作業を行う必要はなく、いわば自動的に本体部１が水平に位置決めされる。
【００３１】
図１１（Ｄ）および図１２（Ｃ）に示したように、レバー６３を左に倒すと、図１１（Ａ）に示したように、カム６１の回動により、カム６１の中心と外周との距離ＤＬが、上述した距離Ｄ０よりも小さくなる。よって、図１１（Ｇ）に示したように、右側の仮固定部４２の水平面ＨＰを基準とした高さＨ４２が、左側の仮固定部４１の水平面ＨＰを基準とした高さＨ４１（一定値）よりも小さくなり、本体部１の右側が下がり、左側が上がる。
【００３２】
また、図１１（Ｆ）および図１２（Ａ）に示したように、レバー６３を右に倒すと、図１１（Ｃ）に示したように、カム６１の回動により、カム６１の中心と外周との距離ＤＲが、上述した距離Ｄ０よりも大きくなる。よって、図１１（Ｉ）に示したように、右側の仮固定部４２の水平面ＨＰを基準とした高さＨ４２が、左側の仮固定部４１の水平面ＨＰを基準とした高さＨ４１（一定値）よりも大きくなり、本体部１の右側が上がり、左側が下がる。
【００３３】
以上は、設置場所が水平面ＨＰに平行である場合の本体部１の左右の傾きの調整方法を説明したものである。設置場所が左または右に傾いている場合には、本体部１も左または右に傾いた状態となる。例えば後ろから見て設置場所が左に低く傾いていることにより本体部１も左に低く傾いた状態となった場合には、図１１（Ｄ）および図１２（Ｃ）に示したように、レバー６３を左に倒すことにより、図１１（Ｇ）に示したように、本体部１の左側を上げて、設置場所が傾いていても本体部１を水平にすることが可能である。また、例えば後ろから見て設置場所が右に低く傾いていることにより本体部１も右に低く傾いた状態となった場合には、図１１（Ｆ）および図１２（Ａ）に示したように、レバー６３を右に倒すことにより、図１１（Ｉ）に示したように、本体部１の右側を上げて、設置場所が傾いていても本体部１を水平にすることが可能である。
【００３４】
このような本体部１の左右の傾きの補正ないし矯正の作業は、本体部１の仮固定部４１，４２を支持部２の受け部３１，３２に掛止させ、本体部１を立てた姿勢（使用時または視聴時と同じ姿勢）で実際に傾き具合を確認しながら行うことが可能である。従来では、例えば特許文献１にも記載されているように、液晶テレビを寝かせた状態で、ねじの仮締め、傾き調整およびねじの増し締めを行うようにしている。つまり、従来では、傾き調整作業を行っている間、液晶テレビを立てた姿勢で支えておく機構がないので、本実施の形態のように液晶テレビを立てた状態で傾き調整を行うことは極めて難しい。
【００３５】
このようにして仮固定部４１，４２を用いて本体部１の左右の傾きを調整したのちに、図５および図６に示したように、本体部１側のねじ孔５１Ａ〜５１Ｃおよび支持部２側のねじ孔２１Ａ〜２１Ｃよりなる本固定部を用いて、本体部１および支持部２を、仮固定部４１，４２により仮固定された位置関係でねじにより固定する。以上により、本体部１の左右の傾きの調整が完了する。
【００３６】
このように本実施の形態では、本体部１の二つの仮固定部４１，４２に、カム６１により、水平面ＨＰを基準とした高さＨ４１，Ｈ４２の差をつけることを可能としたので、簡素な構成で本体部１の左右の傾きを調整することが可能となる。
【００３７】
なお、上記実施の形態では、左側の仮固定部４１の水平面ＨＰを基準とする高さＨ４１を一定とし、右側の仮固定部４２の水平面ＨＰを基準とする高さＨ４２をカム６１により可変とするようにした場合について説明した。しかしながら、左側の仮固定部４１についても、右側の仮固定部４２と同じ構成とし、左右両方の仮固定部４１，４２の水平面ＨＰを基準とする高さＨ４１，Ｈ４２をカム６１により可変とすることも可能である。このようにすれば、左右の傾きの調整量を２倍とすることが可能となり、設置場所の傾きが更に大きい場合にも対応可能となる。
【００３８】
（第２の実施の形態）
図１３は、本開示の第２の実施の形態に係る表示装置における右側の仮固定部４２の構成を表したものである。この表示装置は、右側の仮固定部４２を段ねじ７０により構成し、この段ねじ７０の受け部３２に当接する部分に、先端に近づくにつれて直径が漸増する傾斜部７１，７２を設けるようにしたものである。傾斜部７１の直径は、傾斜部７２の直径よりも小さい。このことを除いては、この表示装置は、上記第１の実施の形態と同様の構成，作用および効果を有している。よって、対応する構成要素には同一の符号を付して説明する。
【００３９】
左側の仮固定部４１は、上記第１の実施の形態と同様に構成されている。
【００４０】
右側の仮固定部４２は、直径の異なる傾斜部７１，７２を有する段ねじ７０により構成されている。段ねじ７０の締め加減を調整することにより、図１３（Ａ）または図１３（Ｃ）に示したように、より直径の小さい傾斜部７１、または、より直径の大きい傾斜部７２のいずれかを受け部３２に当接させ、右側の仮固定部４２の水平面ＨＰを基準とした高さＨ４２を調整し、左右の仮固定部４１，４２の水平面ＨＰを基準とした高さＨ４１，Ｈ４２に差をつけることが可能となる。
【００４１】
段ねじ７０は、傾斜部７１，７２の間に、本体部１の下辺１Ｂが水平面ＨＰに平行になる位置に、平坦面７３を有することが好ましい。その理由は、上記第１の実施の形態のカム６１の平坦面６１Ａと同様である。
【００４２】
受け部３１，３２は、上記第１の実施の形態と同様に構成されている。また、右側の受け部３２のＵ字溝の最下部には、上記第１の実施の形態と同様に、平坦面３２Ａが設けられていることが好ましい。
【００４３】
この表示装置では、上記第１の実施の形態と同様に、本体部１の二つの仮固定部４１，４２が、支持部２の二つの受け部３１，３２に掛止されることにより、本体部１と支持部２とが仮固定される。ここで、設置場所が水平面ＨＰに平行である場合には、二つの仮固定部４１，４２は、本体部１の下辺１Ｂを基準として同じ高さ位置Ｈ４０に設けられ、受け部３１，３２の深さも同じであるので、仮固定部４１，４２の水平面ＨＰを基準とした高さＨ４１，Ｈ４２も等しくなり、本体部１は自ずと水平になる。
【００４４】
このとき、段ねじ７０には上述した平坦面７３が設けられ、受け部３２には上述した平坦面３２Ａが設けられているので、図１３（Ｂ）に示したように、仮固定部４２を受け部３２に係止させると直ちに段ねじ７０の平坦面７３が受け部３２の平坦面３２Ａに当接する。また、段ねじ７０の中心と平坦面７３との距離Ｄ０は、右側の仮固定部４２の水平面ＨＰを基準とした高さＨ４２が、左側の仮固定部４１の水平面ＨＰを基準とした高さＨ４１（一定値）と同じになるように設定されているので、仮固定部４２を受け部３２に係止させるだけで、左右の仮固定部４１，４２の水平面ＨＰを基準とする高さＨ４１，Ｈ４２が等しくなる。従って、段ねじ７０の締め加減を調整して本体部１を水平にするなどの特別な作業を行う必要はなく、いわば自動的に本体部１が水平に位置決めされる。
【００４５】
図１３（Ｃ）に示したように、段ねじ７０を緩めると、より直径の小さい傾斜部７１が受け部３２に当接する。よって、段ねじ７０の中心と受け部３２との距離ＤＬが、上述した距離Ｄ０よりも小さくなる。よって、右側の仮固定部４２の水平面ＨＰを基準とした高さＨ４２が、左側の仮固定部４１の水平面ＨＰを基準とした高さＨ４１（一定値）よりも小さくなり、本体部１の右側が下がり、左側が上がる。
【００４６】
また、図１３（Ａ）に示したように、段ねじ７０を締めると、より直径の大きい傾斜部７２が受け部３２に当接する。よって、段ねじ７０の中心と傾斜部７２との距離ＤＲが、上述した距離Ｄ０よりも大きくなる。よって、右側の仮固定部４２の水平面ＨＰを基準とした高さＨ４２が、左側の仮固定部４１の水平面ＨＰを基準とした高さＨ４１（一定値）よりも大きくなり、本体部１の右側が上がり、左側が下がる。
【００４７】
このようにして仮固定部４１，４２を用いて本体部１の左右の傾きを調整したのちに、上記実施の形態と同様に、図５および図６に示したように、本体部１側のねじ孔５１Ａ〜５１Ｃおよび支持部２側のねじ孔２１Ａ〜２１Ｃよりなる本固定部を用いて、本体部１および支持部２を、仮固定部４１，４２により仮固定された位置関係でねじにより固定する。以上により、本体部１の左右の傾きの調整が完了する。
【００４８】
このように本実施の形態では、右側の仮固定部４２を、傾斜部７１，７２を有する段ねじ７０により構成するようにしたので、上記第１の実施の形態と同様に、簡素な構成で本体部１の左右の傾きを調整することが可能となる。
【００４９】
なお、本実施の形態でも、上記第１の実施の形態と同様に、左側の仮固定部４１についても、右側の仮固定部４２と同じ構成とし、左右両方の仮固定部４１，４２の水平面ＨＰを基準とする高さＨ４１，Ｈ４２を傾斜部７１，７２により可変とすることも可能である。このようにすれば、左右の傾きの調整量を２倍とすることが可能となり、設置場所の傾きが更に大きい場合にも対応可能となる。
【００５０】
（第３の実施の形態）
図１４は、第３の実施の形態に係る表示装置における受け部３１，３２および仮固定部４１，４２の構成を表したものである。この表示装置では、仮固定部４１，４２はいずれも、上記第１の実施の形態の左側の仮固定部４１と同様の段ねじにより構成されている。一方、受け部３１，３２は、支持部２０の上辺から、支持部２０の上辺に対して垂直に設けられた第１溝８１Ａ，８２Ａと、この第１溝８１Ａ，８２Ａに対して斜めに交差する第２溝８１Ｂ，８２Ｂとを有している。このことを除いては、この表示装置は、上記第１の実施の形態と同様の構成，作用および効果を有している。よって、対応する構成要素には同一の符号を付して説明する。
【００５１】
第１溝８１Ａ，８２Ａは、上記第１の実施の形態における受け部３１，３２と同様のＵ字溝である。第２溝８２Ａは、第１溝８１Ａに対して左下がりに交差し、第２溝８２Ｂは、第１溝８２Ａに対して右下がりに交差している。なお、図示しないが、第２溝８２Ａは、第１溝８１Ａに対して右下がりに交差し、第２溝８２Ｂは、第１溝８２Ａに対して左下がりに交差していることも可能である。
【００５２】
第１溝８１Ａ，８２Ａの最下部８１Ｃ，８２Ｃは、第２溝８１Ｂ，８２Ｂよりも下方に突出していることが好ましい。このようにすることにより、設置場所が水平面ＨＰに平行である場合には、仮固定部４２を受け部３２に係止させると、仮固定部４１，４２の段ねじが第１溝８１Ａ，８２Ａの最下部８１Ｃ，８２Ｃに嵌り込み、いわば自動的に本体部１を水平に位置決めすることが可能となる。
【００５３】
この表示装置では、上記第１の実施の形態と同様に、本体部１の二つの仮固定部４１，４２が、支持部２の二つの受け部３１，３２に掛止されることにより、本体部１と支持部２とが仮固定される。ここで、設置場所が水平面ＨＰに平行である場合には、二つの仮固定部４１，４２は、本体部１の下辺１Ｂを基準として同じ高さ位置Ｈ４０に設けられ、第１溝８１Ａ，８２Ａの深さも同じであるので、仮固定部４１，４２の水平面ＨＰを基準とした高さＨ４１，Ｈ４２も等しくなり、本体部１は自ずと水平になる。
【００５４】
このとき、第１溝８１Ａ，８２Ａの最下部８１Ｃ，８２Ｃは、第２溝８１Ｂ，８２Ｂよりも下方に突出しているので、図１４（Ｂ）に示したように、仮固定部４１，４２を受け部３１，３２に係止させると直ちに仮固定部４１，４２が第１溝８１Ａ，８２Ａの最下部８１Ｃ，８２Ｃに入り込み、いわば自動的に本体部１が水平に位置決めされる。
【００５５】
図１４（Ｃ）に示したように、仮固定部４１，４２を第２溝８１Ｂ，８２Ｂに沿って右に移動させると、右側の仮固定部４２の水平面ＨＰを基準とした高さＨ４２が、左側の仮固定部４１の水平面ＨＰを基準とした高さＨ４１（一定値）よりも小さくなり、本体部１の右側が下がり、左側が上がる。
【００５６】
また、図１４（Ａ）に示したように、仮固定部４１，４２を第２溝８１Ｂ，８２Ｂに沿って左に移動させると、右側の仮固定部４２の水平面ＨＰを基準とした高さＨ４２が、左側の仮固定部４１の水平面ＨＰを基準とした高さＨ４１（一定値）よりも大きくなり、本体部１の右側が上がり、左側が下がる。
【００５７】
このようにして仮固定部４１，４２を用いて本体部１の左右の傾きを調整したのちに、上記第１の実施の形態と同様に、図５および図６に示したように、本体部１側のねじ孔５１Ａ〜５１Ｃおよび支持部２側のねじ孔２１Ａ〜２１Ｃよりなる本固定部を用いて、本体部１および支持部２を、仮固定部４１，４２により仮固定された位置関係でねじにより固定する。以上により、本体部１の左右の傾きの調整が完了する。
【００５８】
このように本実施の形態では、仮固定部４１，４２を段ねじにより構成し、受け部３１，３２を、支持部２０の上辺から、支持部２０の上辺に対して垂直に設けられた第１溝８１Ａ，８２Ａと、この第１溝８１Ａ，８２Ａに対して斜めに交差する第２溝８１Ｂ，８２Ｂとにより構成するようにしたので、上記第１の実施の形態と同様に、簡素な構成で本体部１の左右の傾きを調整することが可能となる。
【００５９】
（適用例）
続いて、上記実施の形態の表示装置の適用例について説明する。この表示装置は、上述したテレビジョン装置のほか、デジタルカメラ，ノート型パーソナルコンピュータ、携帯電話やスマートホン等の携帯端末装置あるいはビデオカメラなどのあらゆる分野の電子機器に適用することが可能である。言い換えると、この表示装置は、外部から入力された映像信号あるいは内部で生成した映像信号を、画像あるいは映像として表示するあらゆる分野の電子機器に適用することが可能である。
【００６０】
（適用例１）
図１５は、上記実施の形態の表示装置が適用されるノート型パーソナルコンピュータの外観を表したものである。このノート型パーソナルコンピュータは、例えば、本体１１０，文字等の入力操作のためのキーボード１２０および画像を表示する表示部１３０を有しており、この表示部１３０が上記実施の形態の表示装置により構成されている。
【００６１】
以上、実施の形態を挙げて本開示を説明したが、本開示は上記実施の形態に限定されるものではなく、種々の変形が可能である。例えば、上記実施の形態では支持部２がスタンドである場合について説明したが、本技術は支持部２が壁掛けブラケットである場合にも適用可能である。
【００６２】
例えば、上記実施の形態において説明した各構成要素の材料および厚みなどは限定されるものではなく、他の材料および厚みとしてもよい。
【００６３】
また、例えば、上記実施の形態において表示装置（テレビジョン装置）の構成を具体的に挙げて説明したが、全ての構成要素を備える必要はなく、例えば図２に示したようなパネル本体１２前面の透明板１１は必ずしも設けなくてもよい。また、他の構成要素を更に備えていてもよい。
【００６４】
なお、本技術は以下のような構成を取ることも可能である。
（１）
本体部と、
前記本体部を支持する支持部と、
前記本体部に設けられ、水平面を基準とした高さの差をつけることが可能な二つの仮固定部と、
前記支持部に設けられ、前記二つの仮固定部が掛止される二つの受け部と
を備えた表示装置。
（２）
前記二つの仮固定部は、前記本体部の下辺を基準として同じ高さ位置に設けられている
前記（１）記載の表示装置。
（３）
前記仮固定部の前記受け部に当接する部分は、カムにより構成されている
前記（１）または（２）記載の表示装置。
（４）
前記受け部は、前記支持部の上辺から垂直下方に切り込まれた溝により構成されている
前記（３）記載の表示装置。
（５）
前記カムは、前記本体部の下辺が水平面に平行になる位置に、平坦面を有する
前記（４）記載の表示装置。
（６）
前記本体部に、前記カムの回動範囲を規制する案内溝が設けられている
前記（３）ないし（５）のいずれか１項に記載の表示装置。
（７）
前記仮固定部は、段ねじにより構成され、
前記段ねじは、前記受け部に当接する部分に、先端に近づくにつれて直径が漸増する傾斜部を有する
前記（１）または（２）記載の表示装置。
（８）
前記受け部は、前記支持部の上辺から垂直下方に切り込まれた溝により構成されている
前記（７）記載の表示装置。
（９）
前記段ねじは、前記本体部の下辺が水平面に平行になる位置に、平坦面を有する
前記（８）記載の表示装置。
（１０）
前記仮固定部は、段ねじにより構成され、
前記受け部は、前記支持部の上辺から、前記支持部の上辺に対して垂直に設けられた第１溝と、前記第１溝に対して斜めに交差する第２溝とを有する
前記（１）または（２）記載の表示装置。
（１１）
前記本体部および前記支持部を、前記二つの仮固定部により仮固定された位置関係で固定する本固定部を備えた
前記（１）ないし（１０）のいずれか１項に記載の表示装置。
【符号の説明】
【００６５】
１…本体部、１Ａ…背面、１Ｂ…下辺、２…支持部、２Ａ…支柱、２Ｂ…基礎、２Ｃ…結合部材、１１…透明板、１２…パネル本体、１３…外装部材、１４…背面カバー、２０…取付面、２１Ａ〜２１Ｃ，５１Ａ〜５１Ｃ…ねじ孔（本固定部）、３１，３２…受け部、３２Ａ…平坦面、４１，４２…仮固定部、５０…取付領域、７０…段ねじ、７１，７２…傾斜部、７３…平坦面、８１Ａ，８２Ａ…第１溝、８１Ｂ，８２Ｂ…第２溝。
【図１】
2013054197.tif 000003
【図２】
2013054197.tif 000004
【図３】
2013054197.tif 000005
【図４】
2013054197.tif 000006
【図５】
2013054197.tif 000007
【図６】
2013054197.tif 000008
【図７】
2013054197.tif 000009
【図８】
2013054197.tif 000010
【図９】
2013054197.tif 000011
【図１０】
2013054197.tif 000012
【図１１】
2013054197.tif 000013
【図１２】
2013054197.tif 000014
【図１３】
2013054197.tif 000015
【図１４】
2013054197.tif 000016
【図１５】
2013054197.tif 000017